(57)【要約】【課題】電子看板機能を備えた自動販売機システムで、コンテンツ内容の更新頻度や多様化に対応でき、訴求力あるコンテンツの提供を一方的でなく、利用者のニーズにも応えられる双方向性機能も発揮できるようにする。【解決手段】自動販売機１に、サーバシステム２０からブロードバンドネットワーク３０を通じて配信されるコンテンツ情報を受信する回線接続手段１０と、配信されたコンテンツ情報を記憶する記憶手段１１と、記憶されたコンテンツ情報を再生し表示する再生表示手段８と、コンテンツ情報の選択再生を指示できる指示入力手段１３と、各手段の動作制御を行い予め設定されたスケジュールに従ってコンテンツ情報の再生表示を制御する制御手段１４とを設け、サーバシステム２０に、集中処理・管理手段２２と、画像拡張・縮小ライブラリー収納手段２３と、静止画・動画蓄積手段２４と、スケジューリング手段２５と、ログ情報管理手段２６とを設ける。【選択図】図２
2008165607.tif 000002
【特許請求の範囲】
【請求項１】
サーバシステムからインターネット等のブロードバンドネットワークを通じて配信される複数のコンテンツ情報を記憶する記憶手段と、前記記憶手段により記憶されたコンテンツ情報を再生し表示する再生表示手段と、前記再生表示手段に対してコンテンツ情報の選択指示を行うことができる指示入力手段と、これら各手段の動作を制御し予め定められたスケジュールに従ってコンテンツ情報の再生表示を制御する制御手段とを具備した自動販売機システムであって、
一定の時間枠で制作されたメインの番組情報と、当該メインの番組情報を補充するために階層化して付加されたサブの番組情報とで構成されるコンテンツ情報がサーバシステムから複数配信される場合には、
前記制御手段による前記再生表示手段における複数のコンテンツ情報の再生表示を、
各コンテンツ情報に含まれるメイン番組情報について一定の時間枠で順次繰り返し再生表示するようにし、メイン番組情報を再生表示中に前記指示入力手段から指示入力を受けた場合には、当該指示に基づいてメイン番組情報に階層化して付加されたサブの番組情報を再生するとともに、
メイン番組情報を再生表示中にサーバシステムから割込み情報が強制配信された場合には、当該割込み情報も同時に再生表示するようにしたことを特徴とする自動販売機システム。
【請求項２】
前記再生表示手段の表示画面中に、コンテンツ情報の表示画面と割込み情報の表示画面を設けるとともに、前記コンテンツ情報の表示画面を含む前記再生表示手段の画面中に、指示入力操作画面を設け、当該指示入力操作画面を前記指示入力手段として構成した請求項１に記載の自動販売機システム。
【請求項３】
前記指示入力手段による指示によってサブの番組情報を再生した場合には、当該指示操作を行った日時及び再生した情報の内容を記録し、サーバシステム側へ記録情報を送信するようにした請求項１又は２に記載の自動販売機システム。
【請求項４】
前記指示入力手段による指示によってブロードバンドネットワークを通じてサーバへアクセスし、即時にダウンロードされたコンテンツ情報を再生表示するようにした請求項１又は２に記載の自動販売機システム。
【請求項５】
サーバシステム側からアンケート情報等が配信された場合には、前記指示入力手段による回答内容を記録し、サーバシステム側へ回答情報を送信するようにした請求項１又は２に記載の自動販売機システム。
【発明の詳細な説明】
【技術分野】
【０００１】
本発明は、屋内・屋外に設置され、無人で販売機能を有するいわゆる自動販売機に関し、特に電子看板機能を具備した自動販売機システムに関する。
【背景技術】
【０００２】
自動販売機は平成17年末の時点で全国に558万台設置され（日本自動販売機工業会発表）、販売形態のひとつとしての地位を確立している。自動販売機のほとんどは飲料、食料品や煙草の販売であり、現品を自らの筐体に収納し販売するが、販売物品の種類や収納量に応じた筐体が必要で、近年、嗜好の多様化によって取り扱い商品も多種多様化しており、筐体自体は大型化している。
【０００３】
通常、自動販売機の前面は、販売品もしくはその見本を陳列するのが通例であるが、陳列の形態を問わず、その筐体の大型化に伴って自動販売機の前面は他用途に利用できる余地があり、紙やシール等の媒体を貼り付けて新商品の説明やアピールが一般的に行われている。また、自動販売機の外観を損ねることなく、メッセージボードを取付けられるようにし、ボードによってより多くの情報を提供できるようにしているものも提案されている（特許文献１）。
【０００４】
また、筐体の接客面に画像表示装置を設け、商品購入操作に関する情報や商品の説明に関する情報等を表示するようにして、商品の販売促進につとめているものも提案されており（特許文献２）、かかる画像表示装置を広告手段として積極的に使用し、自動販売機設置者側に広告収入を得られるようにしているものもある。さらに通信機能を付加し管理センターへのデータ送信によって商品管理を遠隔で行えるようにしたものも提案されている（特許文献３）。
【０００５】
このように、自動販売機の設置台数が増加するにつれて、従来のように単に収納された商品だけを販売するのみならず、その設置場所での顧客に対する訴求力をより発揮できるように、いわゆる電子看板を備えるデジタル・サイネージ化を中心として高機能を付加するようにした自動販売機の提案が各種なされている。
【特許文献１】特開２００２−２３６９６８号公報
【特許文献２】特開２００５−１４１３２６号公報
【特許文献３】特開２００３−５１０５６号公報
【発明の開示】
【発明が解決しようとする課題】
【０００６】
自動販売機における従来からの紙類媒体による広告は、その更新についてメンテナンスマンによる貼り替え作業を必要とする。メンテナンスマンの巡回は通常、現品の補充の際に行われるが、現品の補充頻度に強く依存するため、更新頻度が低くなりがちで、時節に合った広告が出しにくく、即時に対応することができなかったものである。また、自動販売機の形状や大きさによって広告に制約を受けるため、広告効果が掲示面積に依存する紙媒体においてはそれ以上の広告効果を追求することは手法的に難しく、自動販売機に対する広告効果は疑わしいため、自動販売機販売商品の広告以外にはまったく行われていないのが現状である。
【０００７】
また、上記したデジタル・サイネージ化における電子看板、例えば液晶ディスプレイによる表示は、テロップ、静止画、動画といった紙類媒体より多彩な表現を視覚的に行うことはできるが、内容的にはワンパターンのコンテンツの一方的な繰り返し表示であることが多く、表示する広告も紙類媒体の代替の観点から脱却できておらず、一度目にするとそれ以上の興味を消費者から引き出すことができなかったものである。このように、電子データによる広告やインフォメーションを単純に巡回表示するだけで、コンテンツの切替の更新頻度も低く、知りたい、見たい情報をリアルタイムに表示したり、利用者側からのインタラクティブな機能も発揮できない程度のものであった。
【０００８】
さらに、上記した通信機能を備えた自動販売機においては、在庫の状況確認などを目的としたデータのやり取りしか行われておらず、テロップで表示できる程度の簡単な情報の配信しかできておらず、折角の通信機能を充分に利用出来ないでいたものである。すなわち、自動販売機の設置台数と設置個所を考慮すれば、設置地域的に既設の自動販売機を相互に連携させることにより、エリアマーケティング的な商品販売の仕掛けや、地域情報（行政情報等も含む）の提供といった各種のサービスの実施が可能であるにもかかわらず、個々の自動販売機における通信機能に着眼したシステム構築しかされていなかったものである。また、設置場所が特定されていることから、その設置場所の周辺地図情報を加味した位置情報を配信することで、設置地域のガイド的なサービスも実施でき、既に多数の自動販売機の設置が実際に行われているため、かかる既設状況を利用した各種サービス態様の提案も求められている。
【０００９】
そこで本願発明は、電子看板機能を備えデジタル・サイネージ化を図るようにした自動販売機システムであって、出力されるコンテンツ内容の更新頻度やコンテンツそのものの多様化に対応できるとともに、ワンパターンでない訴求力のあるコンテンツの提供を一方的でなく、利用者のニーズにも応えられる双方向性の機能も併せ持ち、さらに、個々に設置された設置態様において相互に連携させネットワーク化することができ、エリア的に効果的な広告を可能にし、設置地域における有益な情報提供等も行い得る多機能性を発揮することができる自動販売機システムの提供を課題とする。
【課題を解決するための手段】
【００１０】
この発明に係る自動販売機システムは、サーバシステムからインターネット等のブロードバンドネットワークを通じて配信される複数のコンテンツ情報を記憶する記憶手段と、前記記憶手段により記憶されたコンテンツ情報を画像再生し表示する再生表示手段と、前記再生表示手段に対してコンテンツ情報の選択指示を行うことができる指示入力手段と、これら各手段の動作を制御し予め定められたスケジュールに従ってコンテンツ情報の再生表示を制御する制御手段とを具備した自動販売機システムにおいて、一定の時間枠で制作されたメインの番組情報と、当該メインの番組情報を補充するために階層化して付加されたサブの番組情報とで構成されるコンテンツ情報がサーバシステムから複数配信される場合には、前記制御手段による前記再生表示手段における複数のコンテンツ情報の再生表示を、各コンテンツ情報に含まれるメイン番組情報について一定の時間枠で順次繰り返し再生表示するようにし、メイン番組情報を再生表示中に前記指示入力手段から指示入力を受けた場合には、当該指示に基づいてメイン番組情報に階層化して付加されたサブの番組情報を再生するとともに、メイン番組情報を再生表示中にサーバシステムから割込み情報が強制配信された場合には、当該割込み情報も同時に再生表示するようにしたことを特徴としている。
【００１１】
また、再生表示手段に、コンテンツ情報の表示画面及び割込み情報の表示画面以外に指示入力操作画面を設け、当該指示入力操作画面を指示入力手段として構成している。この指示入力手段による指示によってブロードバンドネットワークを通じてサーバへアクセスし、即時にダウンロードされたコンテンツ情報を再生表示するようにしている。
【００１２】
さらに、指示入力手段による指示によってサブの番組情報を再生した場合には、当該指示操作を行った日時及び再生した情報の内容を記録し、サーバシステム側へ記録情報を送信できるようにしたり、サーバシステム側からアンケート情報が配信された場合には、前記指示入力手段による回答内容を記録し、サーバシステム側へ回答情報を送信できるようにしている。
【発明の効果】
【００１３】
本発明の自動販売機システムにおいて、サーバシステムからインターネット等のブロードバンドネットワークを通じて配信される複数のコンテンツ情報を、一定の時間枠で制作されたメインの番組情報と、当該メインの番組情報を補充するために階層化して付加されたサブの番組情報とで構成すれば、各コンテンツ情報に含まれるメイン番組情報が一定の時間枠で順次繰り返し再生され、メイン番組情報を再生表示中に指示入力手段から指示すると、メイン番組情報に階層化して付加されたサブの番組情報を任意に選択して再生表示できるので、コンテンツ内容の更新頻度を高め、ワンパターンでない訴求力のある多様化したコンテンツの表示を行うことができる。また、メイン番組情報を再生表示中にサーバシステムから割込み情報が強制配信された場合には、当該割込み情報も同時に再生表示されるので、例えば、緊急を伝える災害情報や地域における行政からの情報等も随時提供することもできる。
【００１４】
また、指示入力手段による指示によってサブの番組情報を再生した場合には、当該指示操作を行った日時及び再生した情報の内容を記録し、サーバシステム側へ記録情報を送信できるようにしたり、サーバシステム側からアンケート情報が配信された場合には、前記指示入力手段による回答内容を記録し、サーバシステム側へ回答情報を送信できるようにしているので、情報提供者側と自動販売機利用者側との間で、提供情報の関心度や利用度の確認並びにマーケティング調査等を行うことができ、利用者のニーズにも応えられる形で双方向性の機能を発揮することができる。
【００１５】
上記のように構成され機能する自動販売機を複数ネットワーク化して設置すれば、各自動販売機毎に別々のコンテンツ情報を時間帯に応じて配信して管理することもできる。
【発明を実施するための最良の形態】
【００１６】
以下、本発明の最良の形態を、図面に表された実施例に基づいて具体的に説明する。
【００１７】
図１は、本発明に係る自動販売機システムの自動販売機本体１の外観を示す斜視図で、自動販売機本体１の前面には、商品見本２ａが陳列されるとともに、購入商品を選択決定する選択ボタン２ｂが各商品見本の下部に設けられた商品見本陳列ケース部２と、商品購入用の代金を紙幣で受け入れる紙幣挿入口部３ａ若しくは硬貨で受け入れる硬貨投入口部３ｂとからなる代金受入部３と、釣銭を返却するレバー４と、釣銭返却部５と、購入選択された商品が取り出される商品取り出し口部６と、商品宣伝用ポスター等が貼り付けられる商品宣伝用スペース部７と、後述するシステムサーバ側から配信されるコンテンツ情報を再生表示して電子看板として機能する再生表示手段８とが設置されている。
【００１８】
特に、再生表示手段８は、商品見本陳列ケース部２と代金受入部３との間の購入者が必ず視線を送る部位に設置され、具体的には１９インチ程度の液晶タッチパネルとして構成されている。その他の上記した各部は、通常の自動販売機と同様の構成態様となっている。
【００１９】
図２は、本発明の実施例における自動販売機本体１側及びサーバシステム２０側のシステム構成を機能的に示す機能ブロック図である。自動販売機本体１側には、電子看板機能を発揮してデジタルサイネージ化を図るために、サーバシステム２０からブロードバンドネットワーク３０を通じて配信されるコンテンツ情報を受信する回線接続手段１０と、回線接続手段１０を介して配信されたコンテンツ情報を記憶する記憶手段１１と、記憶手段１１に記憶されたコンテンツ情報を再生し表示する再生表示手段８と、再生表示手段８に対してコンテンツ情報の選択再生を指示できる指示入力手段１３と、これら各手段の動作制御を行うとともに、予め設定されたスケジュールに従ってコンテンツ情報の再生表示を制御する制御手段１４とが設けられている。
【００２０】
また、サーバシステム２０側には、サーバコンピュータ２１において、集中処理・管理手段２２と、画像拡張・縮小ライブラリー収納手段２３と、静止画・動画蓄積手段２４と、スケジューリング手段２５と、ログ情報管理手段２６とが備えられている。
【００２１】
集中処理・管理手段２２は、サーバシステム２０と端末である自動販売機１との間の最適化及びマッチング処理を行う。画像拡張・縮小ライブラリー収納手段２３は、自動販売機側で再生表示されるコンテンツ情報のうち画像情報をタッチパネルの操作によって拡大・縮小できるようにライブラリーとして収納するファイルである。静止画・動画蓄積手段２４は、自動販売機側で再生表示されるコンテンツ情報のうちＪＰＥＧ等の静止画とＭＰＥＧ等の動画が蓄積されるファイルである。スケジューリング手段２５は、サーバに収納蓄積されているコンテンツ情報を接続されている自動販売機に対して配信する番組スケジュールとして構成するためのファイルである。ログ情報管理手段２６は、後述する自動販売機１側で再生表示手段８に対して指示入力手段１３から情報表示を選択した際に、当該ログ情報を収集し管理するファイルである。
【００２２】
本発明にかかる自動販売機システムは、上記したように、自動販売機本体１とサーバシステム２０とこれらを接続するブロードバンドネットワーク３０とで構成されることにより、自動販売機本体１は本来の自販機能を発揮するほか、液晶タッチパネルで構成された再生表示手段８において、サーバシステム２０から配信される様々な情報を表示するように動作する。再生表示手段８は、液晶タッチパネル以外にプラズマディスプレイ等を使用することもできる。
【００２３】
再生表示手段８は、図３に示すように、メインの情報番組を表示するメイン画面８ａと、サブの番組を選択表示するサブ画面８ｂと、テロップ情報が表示されるテロップ画面８ｃとに３つの領域に分割して構成されている。また、メイン画面８ａ中の下部には、メイン情報以外にメイン情報に関連したテロップ情報が表示されるテロップ表示部８ａｃが設けられている。また、これら画面上の所定領域に触れると当該領域が指示入力手段１３として機能するようにも構成されているので、タッチされた画面に応じて表示画像を変更するように操作することができるようになっている。
【００２４】
通常、この自動販売機を起動すると、自動販売機１からサーバシステム２０にアクセスしてコンテンツ情報がダウンロードされ、記憶手段に蓄積され放映される。すなわち、再生表示手段８のメイン画面８ａでは、サーバシステム２０側のサーバコンピュータ２１によって作成された番組情報が静止画・動画蓄積手段２４からブロードバンドネットワーク３０を通じてダウンロードされ、スケジュールリング手段２５によって構成されたスケジュールに従い、静止画若しくは動画、又は静止画及び動画のミックスされた番組画像が表示される。例えば、図３（ａ）（ｂ）（ｃ）と順次内容が変わっていく番組情報が１５秒間の枠で放映され、１５秒経てば次のＣＭ番組に切り換り順次次々と別番組が放映される。この時、メイン画面８ａのテロップ表示部８ａｃには、順次放映される番組内容に対応した文字情報がテロップとして定期的に表示されている。例えば、ある飲食のお店の広告を、動画で室内の雰囲気や調理風景を示し、静止画でお店のデータやメニューを紹介し、テロップでリアルタイムのサービス情報を流すといった表示が行われる。
【００２５】
かかる放映の稼動時間は、スケジューリング手段２５によって例えば、午前９時から午後１１時までといった設定がされている。コンテンツ情報の切り替えは、秒間隔で設定可能であり、時間帯に合った情報配信を行うことができるので、広告枠を時間帯で提供することが可能となる。また、指示入力手段１３による指示操作を行えば、ブロードバンドネットワーク３０を通じてサーバシステム２０へアクセスして即時にダウンロードされたコンテンツ情報が適宜リアルタイムでも再生表示されるように設定されている。
【００２６】
上記した通常の放映において、液晶タッチパネル上の所定の画面をタッチしてドラッグ操作すると、拡大若しくは縮小の画像も再生表示されるので、上記したお店等の情報をより視覚的に訴求力を発揮する形態で表示することができる。
【００２７】
また、サーバシステム２０から配信されるコンテンツ情報には、メイン番組情報を補充するためにサブ番組情報が階層化して付加されており、メイン番組放映中にサブ画面８ｂ中からサブ情報の項目をタッチして選択すると、例えば、図４から図７に示すように階層化されている情報が画面表示される。図４は、地図情報が表示された例を示し、図５は、イベント情報が表示された例を示し、図６は、グルメ情報が表示された例を示し、図７は占い情報が表示された例を示している。
【００２８】
階層化されたサブ情報について、上記した地図情報の例において説明すると、サブ画面８ｂ中の地図と表示した領域をタッチすると、図４（ａ）に示すように、当該自動販売機周辺の広域地図が表示される。広域地図中には、広告契約を受けている店舗が複数表示されており、当該地図上の店舗近辺をタッチすると、同図（ｂ）に示すように、その店舗周辺の拡大地図が表示される。さらに、拡大地図中に示された店舗のリンクボタンにタッチすると、同図（ｃ）に示すように、当該お店の詳細な情報が表示される。このような階層化情報を提供することにより、本自動販売機が設置されている地域のタウンガイドとして機能させることができる。上記したその他のイベント情報やグルメ情報、占い情報も多様に階層化されており、知りたい情報を検索できるような表示も行うことができる。
【００２９】
また、この自動販売機システムでは、一定のスケジュールに従ってメイン番組情報が順次放映されている際に、メイン画面８ａやサブ画面８ｂの指定された領域をタッチして階層化された情報を読み出すと、指定領域にタッチされたログ情報をサーバシステム２０側のログ情報管理２６に送信されるように構成されている。したがって、ログ情報管理手段２６には、放映された番組の時間帯や回数等のログが蓄積されるので、どの番組情報に利用者の関心が集まったかの分析も可能となり、マーケティング分析に必要な情報を入手することができる。。
【００３０】
さらに、この自動販売機システムでは、図８に示すように、上記したメイン画面８ａ中に設けたテロップ表示部８ａｃの他にもテロップ情報が適宜表示されるテロップ画面８ｃを備えているので、サーバシステム２０からメイン番組情報と連携してテロップ画面８ｃに表示するように配信することも、天気予報等の定期的な情報を単純に繰り返し表示することもできる。このテロップ画面８ｃには、かかる定期的な情報以外に、サーバシステム２０側から割込み情報を強制配信することもでき、例えば、緊急を伝える災害情報や地域における行政からの情報等も随時提供することが可能となる。
【００３１】
この自動販売機システムは、図９に示すように、サーバシステム２０側の負荷が重くなる場合には、分散サーバ４０を介在設置して構成すればよい。分散サーバ４０を設置すれば、複数の自動販売機１−２から１−ｎまでネットワーク化することも容易に行うことができ、上記したようなコンテンツ情報を配信することで、各自動販売機毎に別々にコンテンツ内容を時間帯に応じて配信し管理することができる。かかる複数の自動販売機をある地域に集中して設置すれば、同一の番組内容を時間をずらしながら放映したり、視覚効果を高めるように連携した内容で放映したりといった配信も行えるので、よりＣＭ効果の高い表示を行うことができ、エリアごと、店舗ごと、自動販売機ごとに配信が可能となり、それぞれのニーズに合わせた広告の配信が可能となる。
【００３２】
本発明は、自動販売機に上記した表示機能を発揮する再生表示手段を設置してデジタル・サイネージ化を図るように構成しているが、図１０に示すように、再生表示手段８を空き缶も収納できる補助ボックス５０に独立的に設けて本発明の自動販売機システムを構成するようにすれば、既設の自動販売機に対しても後付けのシステム構成を講じることができる。
【００３３】
上記したように、本発明の自動販売機システムにおいて、一定の時間枠で制作されたメインの番組情報と、当該メインの番組情報を補充するために階層化して付加されたサブの番組情報とからなる複数のコンテンツ情報を配信すれば、各コンテンツ情報に含まれるメイン番組情報が一定の時間枠で順次繰り返し再生され、メイン番組情報を再生表示中に指示入力手段から指示すると、メイン番組情報に階層化して付加されたサブの番組情報を任意に選択して再生表示できるので、コンテンツ内容の更新頻度を高め、ワンパターンでない訴求力のある多様化したコンテンツの表示を行うことができる。
【００３４】
上記実施例では、ログ情報をサーバシステム２０側へ記録情報を送信できるようにしているが、サーバシステム２０側から自動販売機本体１へアンケート情報を配信して表示し、指示入力手段による回答内容を記録してサーバシステム２０側へ回答情報を送信するようにしてもよく、情報提供者側と自動販売機利用者側との間で、提供情報の関心度や利用度の確認並びにマーケティング調査をより高度に行うことができ、利用者のニーズにも応えられる形で双方向性の機能を発揮させることもできる。
【００３５】
また、双方向性という機能では、各種情報を放映している際に、画面上にＱＲコードを表示し、当該コードを携帯電話で入手してアクセスさせ、メールの送受信を行うことにより、放映されているお店の会員登録やポイントの加算を行えるようにすることができるので、利用者と広告提供者側との間で個別の情報をやり取りすることもできる。ＱＲコードの代わりに、画面中に一定の文字情報を表示し、当該文字情報を文字コードとして提供するようにしてもよく、利用者の関心をより引き付ける運用を実現することもできる。このようにして、利用者と広告主との間で１対１のコミュニケーションを図ることもできるが、利用者側の所有する個人識別情報や電子マネー等の情報が記録された記録媒体を自動販売機側で読取れるようにし、かかる１対１のコミュニケーション機能をより発揮できるように構成することも可能である。
【産業上の利用可能性】
【００３６】
本発明は、商品だけを販売するのみならず、その設置場所での顧客に対する訴求力をより発揮できるように、いわゆる電子看板を備える自動販売機のデジタル・サイネージ化を中心として高機能を付加するようにしているが、上記した電子看板機能については、自動販売機のみならず、屋外・屋内において通行者や商品購入者に対して一定の情報告知を行う設置物に適用することもできる。
【図面の簡単な説明】
【００３７】
【図１】本発明の実施例である自動販売機の外観を示す図である。
【図２】本発明のシステム構成を機能的に示すブロック図である。
【図３】再生表示手段の構成を示す図である。
【図４】サブ情報（地図）を表示した場合の例を示す図である。
【図５】サブ情報（イベント）を表示した場合の例を示す図である。
【図６】サブ情報（グルメ）を表示した場合の例を示す図である。
【図７】サブ情報（占い）を表示した場合の例を示す図である。
【図８】テロップ画面に情報を表示している例を示す図である。
【図９】本発明のシステムをネットワーク化して構成した場合を示す図である。
【図１０】再生表示手段を別設置した場合の構成を示す図である。
【符号の説明】
【００３８】
１    自動販売機本体
８    再生表示手段
１０  回線接続手段
１１  記憶手段
１３  指示入力手段
１４  制御手段
２０  サーバシステム
２１  サーバコンピュータ
２２  集中処理・管理手段
２３  画像拡大・縮小ライブラリー収納手段
２４  静止画像・動画像蓄積手段
２５  スケジューリング手段
２６  ログ情報管理手段
３０  ブロードバンドネットワーク
４０  分散サーバ
【図１】
2008165607.tif 000003
【図２】
2008165607.tif 000004
【図３】
2008165607.tif 000005
【図４】
2008165607.tif 000006
【図５】
2008165607.tif 000007
【図６】
2008165607.tif 000008
【図７】
2008165607.tif 000009
【図８】
2008165607.tif 000010
【図９】
2008165607.tif 000011
【図１０】
2008165607.tif 000012